(57)【要約】      （修正有）【課題】内部にあらかじめ２枚のごみ袋を装着しておく必要がなく、低コストであり、作業性に優れたごみ箱を提供する。【解決手段】本考案に係わる分類が可能なごみ箱１０は、２種類のごみを分類するための分類具５と、分類されたそれぞれのごみを収納する容器７とを有するものである。分類具５は、２種類のごみを分離するための仕切り１と、容器７上方の開口の約半分の面積を覆うことが可能な蓋３と、蝶番２と、蓋３の周辺部分に固着されているつまみ４とを有するものである。仕切り１と蓋３とは、蝶番２によって回動可能な状態で連結されている。仕切り１は、ごみの種類ごとに分離するためのものであり、容器７内に挿入されている。蓋３は、つまみ４を容器７に当接させることによって容器７に固定することができる。【選択図】図４
0003192670.tif 000002
【実用新案登録請求の範囲】
【請求項１】
２種類のごみの分類が可能なごみ箱１０であって、
前記ごみ箱１０は、
２種類のごみを分類するための分類具５と、分類されたそれぞれのごみを収納する容器７とを有するものであり、
前記分類具５は、
２種類のごみを分離するための仕切り１と、容器７上方の開口の約半分の面積を覆うことが可能な蓋３と、蝶番２と、前記蓋３の周辺部分に固着されているつまみ４とを有するものであり、
前記仕切り１と前記蓋３とは、前記蝶番２によって回動可能な状態で連結されており、
前記仕切り１は、ごみの種類ごとに分離するためのものであり、前記容器７内に挿入された状態で使用され、
前記蓋３は、前記つまみ４を前記容器７に当接させることによって該容器７に固定できるものである
ことを特徴とする分類が可能なごみ箱１０。
【考案の詳細な説明】
【技術分野】
【０００１】  本考案は、２種類のごみの分類が可能なごみ箱に関するものである。
【背景技術】
【０００２】  多くの地方自治体では、紙のごみとプラスチックのごみ、可燃ごみと不燃ごみなどのように、ごみの種類ごとに分類して回収している。【０００３】  なお、一般家庭において、ごみの種類ごとに分類をするには、ごみの種類と同じ数のごみ箱を用意する必要がある。また、一部屋ごとにごみの種類と同じ数のごみ箱を用意するとなると、コストがかかる点や、いくつものごみ箱を配置する結果、使用可能な部屋のスペースが削減されるという問題点がある。【０００４】  一方、１個のごみ箱を用い、廃棄時に中身のごみの種類ごとに分類して、廃棄用の袋に積めかえるのも煩わしい作業である。【０００５】  そこで、ごみの種類ごとに開閉する一対の蓋と、それぞれの蓋の下方に２枚のごみ袋を配置することによって、１個のごみ箱で２種類のごみを分類して収納できるごみ箱の考案が開示されている（特許文献１）。
【先行技術文献】
【特許文献】
【０００６】
【特許文献１】  実用新案登録第３０５３６６０号公報
【考案の概要】
【考案が解決しようとする課題】
【０００７】  しかしながら、上述した特許文献１に記載されているようなごみ箱は、ごみの種類ごとに開閉する一対の蓋、すなわち計２個の蓋と、それぞれの蓋の下方の容器内部に、あらかじめ２枚のごみ袋を装着しておく必要があった。そして、ごみ袋の装着作業や脱着作業が煩わしいという問題点や、２枚のごみ袋が必要になりコスト高になるという問題点があった。【０００８】  本考案は、２種類のごみの分類が可能なごみ箱であって、低コストであり、作業性に優れたごみ箱の提供を目的としている。
【課題を解決するための手段】
【０００９】  本考案は、従来から使用されている分類が可能なごみ箱の問題点を解決するものである。【００１０】  請求項１に記載された考案は、
２種類のごみの分類が可能なごみ箱１０であって、
前記ごみ箱１０は、
２種類のごみを分類するための分類具５と、分類されたそれぞれのごみを収納する容器７とを有するものであり、
前記分類具５は、
２種類のごみを分離するための仕切り１と、容器７上方の開口の約半分の面積を覆うことが可能な蓋３と、蝶番２と、前記蓋３の周辺部分に固着されているつまみ４とを有するものであり、
前記仕切り１と前記蓋３とは、前記蝶番２によって回動可能な状態で連結されており、
前記仕切り１は、ごみの種類ごとに分離するためのものであり、前記容器７内に挿入された状態で使用され、
前記蓋３は、前記つまみ４を前記容器７に当接させることによって該容器７に固定できるものである
ことを特徴としている。
【考案の効果】
【００１１】  本考案を用いると部屋ごとに１個のごみ箱を設置するだけで、２種類のごみを分類して収納し、それぞれのごみを回収して廃棄することができる。【００１２】  また、部屋ごとに設置されているごみ箱内のごみの回収や破棄に際しては、計２枚のごみ袋で足りるので作業性にも優れるという特長がある。【００１３】  すなわち、本考案を用いると、ごみ箱の内部にあらかじめ２枚のごみ袋を装着しておく必要がないので、低コストであり、作業性に優れたごみ箱を提供することができる。
【図面の簡単な説明】
【００１４】
【図１】  分類具の概略図である。
【図２】  分類具を容器に装着する状態の概略図である。
【図３】  分類が可能なごみ箱の側面図である。
【図４】  分類が可能なごみ箱の使用状態を示す概略図である。
【図５】  分類が可能なごみ箱から内部のごみを取出す際の概略図である。
【考案を実施するための形態】
【００１５】  以下において、本考案に係わる２種類のごみの分類が可能なごみ箱１０の考案を実施するための形態について図１〜図５を用いて詳細に説明する。
【００１６】＜ごみ箱１０の概略構造＞
本考案に係わるごみ箱１０は、２種類のごみを分類するための分類具５と、分類されたそれぞれのごみを収納するための容器７とを有するものである（図１、図２）。
【００１７】  この分類具５は、主に２種類のごみを分離するための仕切り１と、容器７上方の開口面積の約半分を覆うことが可能な蓋３と、蝶番２と、蓋３の周辺部分に固着されているつまみ４とを有するものである（図１、図２）。そして、仕切り１と蓋３とは、蝶番２によって回動可能な状態で連結されている（図１、図２）。
【００１８】  蓋３の一方の片面には、例えば、「紙のごみ」と（図１）、図示されていない反対側の片面には「プラスチックのごみ」と記載されている。すなわち、蓋３を１８０度回動させて反転することによって、「紙のごみ」又は「プラスチックのごみ」などの表示のいずれかが目視できるようになっている。なお、例えば、蓋３の一方の片面には「可燃のごみ」と、反対側の片面には「不燃ごみ」などと記載して使用することもできる。
【００１９】  仕切り１は、ごみの種類ごとに分離するためのものであり、容器７内に挿入された状態で使用される。すなわち、図２に示されるように、分類具５の仕切り１の部分を図示されているような略円筒形状をした容器７の開口部に挿入することによって、本考案に係わる２種類のごみを分類した状態で収納できるごみ箱が完成する。
【００２０】  ここで、仕切り１の寸法を、容器７の上下方向の内径部分の最大値よりもやや小さくするようにした。そして、略円筒形状をした容器７を用いると、分類具５の仕切り１と容器７とを特別な器具を必要とすることなく挿入するのみで簡易に固定できるので好ましい。
【００２１】  なお、図２では、略円筒形状をした容器７を用いる一実施例を示しているが、容器７の形状としては略直方体形状等の好みに応じた形状にし、４隅の対角線部分のいずれかに仕切り１を挿入するような構造にすることもできる（図示なし。）。
【００２２】  図３に示されるように、分類具５の蓋３の周辺部分にはつまみ４が固着されているので（図１）、そのつまみ４が支えとなって、蓋３が容器７の内部に落とし込まれるようなことはない。
【００２３】＜ごみ箱１０の使用例＞
次に、本考案に係わる２種類のごみの分類が可能なごみ箱１０の使用例について図４及び図５を用いて説明する。
【００２４】  分類具５の仕切り１の部分を垂下させた状態とし（図４（ａ））、図示されているような略円筒形状をした容器７上方の開口から仕切り１の部分を先に挿入する（図４（ｂ））。
【００２５】  図４（ｂ）に示されているように、分類具５の蓋３の周辺部分にはつまみ４が固着されているので、そのつまみ４が支えとなって、蓋３が容器７の内部に落とし込まれるようなことはない。
【００２６】  このごみ箱１０に投入するごみの種類を変更する場合、例えば、「プラスチックのごみ」から、「紙のごみ」に変更する場合には、蓋３のつまみ４を指でつまんで、蝶番２を介して反対面に１８０度回動させて反転する（図４（ｃ））。したがって、このごみ箱１０は、１個の容器７で２種類のごみを分類した状態で収納することができる。
【００２７】  次に、図５を用いて、ごみ箱１０内に収納されている２種類のごみを、図示されていない２枚のごみ袋などに分類して回収して廃棄する場合について説明する。
【００２８】  この場合には、指などで蓋３のつまみ４を容器７に当接させて固定した状態のままで、ごみ箱１０を倒立させて容器７の内部の一方の種類のごみを、図示されていないごみ袋などに回収することができる。ここで、つまみ４と容器７とは当接されて、固定されているので、他方の種類のごみは蓋３によって移動が遮断されて回収中のごみ袋に入り込むようなことはない。
【００２９】  また、ごみ箱１０の内部の他方の種類ごみについても、蓋３のつまみ４を指でつまんで、蝶番２を介して反対面に１８０度回動させて反転させた後に、同様の手法で図示されていない別のごみ袋に回収することができる。
【００３０】  すなわち、本考案を用いると部屋ごとに１個のごみ箱１０を設置するだけで、２種類のごみを分類して収納し、回収して廃棄することができる。
【００３１】  また、部屋ごとに設置されている複数個のごみ箱１０内のごみの回収や破棄に際しては、計２枚のごみ袋で足りるので作業性にも優れるという特長がある。
【００３２】  本考案を用いると、ごみ箱の内部にあらかじめ２枚のごみ袋を装着しておく必要がないので、低コストであり、作業性に優れたごみ箱を提供することができる。
【産業上の利用可能性】
【００３３】  本考案は、２種類のごみの分類が可能なごみ箱として利用をすることができる。
【符号の説明】
【００３４】  １    仕切り
２    蝶番
３    蓋
４    つまみ
５    分類具
７    容器
１０    ごみ箱
【図１】
0003192670.tif 000003
【図２】
0003192670.tif 000004
【図３】
0003192670.tif 000005
【図４】
0003192670.tif 000006
【図５】
0003192670.tif 000007